【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
入力された画像データを他の画像処理装置に送信し、当該他の画像処理装置において処理を実行させる画像処理装置であって、
ユーザを特定するための認証情報を入力する入力手段と、
前記入力手段によって認証情報が入力されたことに応じて、当該認証情報によって特定されるユーザが前記画像処理装置を使用する際の使用制限情報と当該認証情報によって特定されるユーザが前記他の画像処理装置を使用する際の使用制限情報とを要求する要求手段と、
前記認証情報によって特定されるユーザが前記画像処理装置を使用する際の使用制限情報を受信する受信手段と、
前記認証情報によって特定されるユーザが前記他の画像処理装置を使用する際の使用制限情報を受信する第２の受信手段と、
前記第２の受信手段によって使用制限情報が受信されたか否か関わらず、前記受信手段によって使用制限情報が受信されたことに応じて、前記画像処理装置を前記ユーザが使用できる状態にする制御手段と、
を有することを特徴とする画像処理装置。
【請求項２】
前記要求手段は、前記入力手段で入力された認証情報を情報処理装置に送信すると共に、前記他の画像処理装置に送信し、
前記受信手段は、前記認証情報によって特定されるユーザが前記画像処理装置を使用する際の使用制限情報を前記情報処理装置から受信し、
前記第２の受信手段は、前記認証情報によって特定されるユーザが前記他の画像処理装置を使用する際の使用制限情報を前記他の画像処理装置から受信することを特徴とする請求項１記載の画像処理装置。
【請求項３】
前記受信手段によって受信された使用制限情報に基づいて、前記画像処理装置が備える機能のうち前記ユーザが使用不可能な機能を指定できない操作画面を表示する表示手段を更に有することを特徴とする請求項１又は２に記載の画像処理装置。
【請求項４】
前記表示手段は、前記操作画面において前記他の画像処理装置が選択された場合、前記第２の受信手段によって受信された使用制限情報に基づいて、当該他の画像処理装置が備える機能のうち前記ユーザが使用不可能な機能を指定できない操作画面を表示することを特徴とする請求項３記載の画像処理装置。
【請求項５】
前記第２の受信手段によって使用制限情報が受信された際に、前記他の画像処理装置が備える機能のうち前記ユーザが使用不可能な機能が既に指定されていた場合、前記表示手段は、前記既に指定されていた機能が使用不可能であることを示す画面を表示することを特徴とする請求項３又は４に記載の画像処理装置。
【請求項６】
前記画像処理装置が前記ユーザが当該画像処理装置を使用する際の使用制限情報を保持しているか否かを判断する判断手段と、
前記判断手段によって前記使用制限情報を保持していると判断された場合、又は前記受信手段によって前記使用制限情報を受信した場合に、当該使用制限情報の参照数を示す値を１増加させる手段と、
前記ユーザからログアウトの指示を受信した場合、前記参照数を示す値を１減少させる手段と、
前記ユーザからログアウトの指示を受信した場合、前記参照数を示す値が０であるか否かを判断する第２の判断手段と、
前記第２の判断手段によって、前記参照数を示す値が０であると判断さえたことに従って、前記保持されている使用制限情報又は前記受信手段によって受信した使用制限情報を削除する削除手段と、
を更に有することを特徴とする請求項１乃至５の何れかに記載の画像処理装置。
【請求項７】
前記ユーザからログアウトの指示を受信した場合、当該ユーザが前記画像処理装置をログアウトすることを示す通知を前記他の画像処理装置に送信する送信手段を更に有することを特徴とする請求項１乃至６の何れかに記載の画像処理装置。
【請求項８】
画像処理装置と他の画像処理装置とが接続され、前記画像処理装置は入力された画像データを前記他の画像処理装置に送信し、前記他の画像処理装置は前記画像処理装置から送信された画像データを処理することによって、前記画像処理装置と前記他の画像処理装置とが連携して処理を実行することが可能な画像処理システムにおいて、
前記画像処理装置は、
ユーザを特定するための認証情報を入力する入力手段と、
前記入力手段で入力された認証情報を、情報処理装置および前記他の画像処理装置に送信する第１の送信手段と、
前記第１の送信手段で送信された認証情報によって特定されるユーザが前記画像処理装置を使用する際の使用制限情報を、前記情報処理装置から受信する第１の受信手段と、
前記第１の送信手段で送信された認証情報によって特定されるユーザが前記他の画像処理装置を使用する際の使用制限情報を、前記他の画像処理装置から受信する第２の受信手段と、
前記第２の受信手段によって使用制限情報が受信されたか否かに関わらず、前記第１の受信手段によって使用制限情報が受信されたことに応じて、前記画像処理装置を前記ユーザが使用できる状態にする制御手段と、を有し、
前記他の画像処理装置は、
前記第１の送信手段で送信された認証情報を受信する第３の受信手段と、
前記第３の受信手段で受信された認証情報を前記情報処理装置に送信する第２の送信手段と、
前記第２の送信手段で送信された認証情報によって特定されるユーザが前記他の画像処理装置を使用する際の使用制限情報を、前記情報処理装置から受信する第４の受信手段と、
前記第４の受信手段で受信された使用制限情報を前記画像処理装置に送信する第３の送信手段と、
を有することを特徴とする画像処理システム。
【請求項９】
入力された画像データを他の画像処理装置に送信し、当該他の画像処理装置において処理を実行させる画像処理装置の制御方法であって、
ユーザを特定するための認証情報を入力する入力ステップと、
前記入力ステップで認証情報が入力されたことに応じて、当該認証情報によって特定されるユーザが前記画像処理装置を使用する際の使用制限情報と当該認証情報によって特定されるユーザが前記他の画像処理装置を使用する際の使用制限情報とを要求する要求ステップと、
前記認証情報によって特定されるユーザが前記画像処理装置を使用する際の使用制限情報を受信する受信ステップと、
前記認証情報によって特定されるユーザが前記他の画像処理装置を使用する際の使用制限情報を受信する第２の受信ステップと、
前記第２の受信ステップによって使用制限情報が受信されたか否かに関わらず、前記受信ステップで使用制限情報が受信されたことに応じて、前記画像処理装置を前記ユーザが使用できる状態にする制御ステップと、
を有することを特徴とする制御方法。
【請求項１０】
入力された画像データを他の画像処理装置に送信し、当該他の画像処理装置において処理を実行させる画像処理装置に以下のステップを実行させるためのコンピュータプログラムであって、
ユーザを特定するための認証情報を入力する入力ステップと、
前記入力ステップで認証情報が入力されたことに応じて、当該認証情報によって特定されるユーザが前記画像処理装置を使用する際の使用制限情報と当該認証情報によって特定されるユーザが前記他の画像処理装置を使用する際の使用制限情報とを要求する要求ステップと、
前記認証情報によって特定されるユーザが前記画像処理装置を使用する際の使用制限情報を受信する受信ステップと、
前記認証情報によって特定されるユーザが前記他の画像処理装置を使用する際の使用制限情報を受信する第２の受信ステップと、
前記第２の受信ステップによって使用制限情報が受信されたか否かに関わらず、前記受信ステップで使用制限情報が受信されたことに応じて、前記画像処理装置を前記ユーザが使用できる状態にする制御ステップと、
を有することを特徴とするコンピュータプログラム。
【手続補正２】
【補正対象書類名】明細書
【補正対象項目名】０００８
【補正方法】変更
【補正の内容】
【０００８】
上記目的を達成するために、本願請求項１の画像処理装置は、入力された画像データを他の画像処理装置に送信し、当該他の画像処理装置において処理を実行させる画像処理装置であって、ユーザを特定するための認証情報を入力する入力手段と、前記入力手段によって認証情報が入力されたことに応じて、当該認証情報によって特定されるユーザが前記画像処理装置を使用する際の使用制限情報と当該認証情報によって特定されるユーザが前記他の画像処理装置を使用する際の使用制限情報とを要求する要求手段と、前記認証情報によって特定されるユーザが前記画像処理装置を使用する際の使用制限情報を受信する受信手段と、前記認証情報によって特定されるユーザが前記他の画像処理装置を使用する際の使用制限情報を受信する第２の受信手段と、前記第２の受信手段によって使用制限情報が受信されたか否か関わらず、前記受信手段によって使用制限情報が受信されたことに応じて、前記画像処理装置を前記ユーザが使用できる状態にする制御手段とを有することを特徴とする。
【手続補正３】
【補正対象書類名】明細書
【補正対象項目名】０００９
【補正方法】変更
【補正の内容】
【０００９】
また、本願請求項８の画像処理システムは、画像処理装置と他の画像処理装置とが接続され、前記画像処理装置は入力された画像データを前記他の画像処理装置に送信し、前記他の画像処理装置は前記画像処理装置から送信された画像データを処理することによって、前記画像処理装置と前記他の画像処理装置とが連携して処理を実行することが可能な画像処理システムにおいて、前記画像処理装置は、ユーザを特定するための認証情報を入力する入力手段と、前記入力手段で入力された認証情報を、情報処理装置および前記他の画像処理装置に送信する第１の送信手段と、前記第１の送信手段で送信された認証情報によって特定されるユーザが前記画像処理装置を使用する際の使用制限情報を、前記情報処理装置から受信する第１の受信手段と、前記第１の送信手段で送信された認証情報によって特定されるユーザが前記他の画像処理装置を使用する際の使用制限情報を、前記他の画像処理装置から受信する第２の受信手段と、前記第２の受信手段によって使用制限情報が受信されたか否かに関わらず、前記第１の受信手段によって使用制限情報が受信されたことに応じて、前記画像処理装置を前記ユーザが使用できる状態にする制御手段とを有し、前記他の画像処理装置は、前記第１の送信手段で送信された認証情報を受信する第３の受信手段と、前記第３の受信手段で受信された認証情報を前記情報処理装置に送信する第２の送信手段と、前記第２の送信手段で送信された認証情報によって特定されるユーザが前記他の画像処理装置を使用する際の使用制限情報を、前記情報処理装置から受信する第４の受信手段と、前記第４の受信手段で受信された使用制限情報を前記画像処理装置に送信する第３の送信手段とを有することを特徴とする。